(57)【特許請求の範囲】
【請求項１】
複数の円形の枠状の横桟２を適宜な間隔で配置すると共に、それら横桟２における周方向の複数箇所に横桟２に対し垂直方向の縦桟３を配置して、横桟２と縦桟３との交点を接合した中カゴ１を形成し、その中カゴ１の周囲に線径が０．００３〜０．５ｍｍのプラスチック製の線条４を巻き付けることにより適宣な隙間を有する周壁５を形成した構成を有して、内径が大中小異なる３種類の中空濾過部材６、７、８を同心円状に３重に配置して、又は、それ以上の複数の中空濾過部材を同心円状に多重に配置して汚水槽１２内に設置し、それら複数の中空濾過材の外側から中心部へ向って汚水原液２６を通過させるようになして、その中心部に濾過された液を処理水タンク１６へ送る吸引パイプ１７を挿入するとともに、その吸引パイプ１７のポンプ１３を逆回転させて処理水タンク１６内の濾過液２７を中空濾過部材の中心部から外側へ向って逆流させることにより各中空濾過部材の周壁５を逆洗可能となして、その逆洗した液を除去するための排水パイプ２３の分岐管２４、２５を各中空瀘過部材の周壁５の間に挿入したことを特徴とする汚水、廃水等の固液分離用濾過装置。
【発明の詳細な説明】
【０００１】
【発明の属する技術分野】
本発明は、浄化槽などの内部に設置して、汚水や廃水等の固液を分離するための濾過装置に関する。
【０００２】
【従来の技術】
従来、汚水や廃水中に浮遊するスラッジを除くために、濾過する方法、遠心力により分離する方法、加圧して浮上させる方法、凝集剤を添加して固める方法等が採用されている。
【０００３】
このうち、濾過する方法では、一般的に濾過膜などが使用されることが多い。しかしながら、濾過膜は一枚だけでは効果が少ないので多数枚を積層する必要があるが、そのように濾過膜を何枚も積層した構造のものは製造が面倒であった。また、濾過材としては、この他、布、砂、セラミック、多孔体等の各種の素材が使用されているが、このような濾過材は、長期間使用することにより目詰りが生じやすく、そのような場合に逆洗再使用が困難であるという問題があった。
【０００４】
【発明が解決しようとする課題】
そこで本発明は、十分な濾過性能を有し、しかも製造が容易で、また、長期間の使用により目詰まりが生じた場合に逆洗再使用が容易な汚水、廃水等の固液分離用濾過装置の提供を目的とする。
【０００５】
【課題を解決するための手段】
上記目的は本発明によって、すなわち、複数の円形の枠状の横桟２を適宜な間隔で配置すると共に、それら横桟２における周方向の複数箇所に横桟２に対し垂直方向の縦桟３を配置して、横桟２と縦桟３との交点を接合した中カゴ１を形成し、その中カゴ１の周囲に線径が０．００３〜０．５ｍｍのプラスチック製の線条４を巻き付ける事により適宣な隙間を有する周壁５を形成した構成を有して、内径が大中小異なる３種類の中空濾過部材６、７、８を同心円状に３重に配置して、又はそれ以上の複数の中空濾過部材を同心円状に多重に配置して汚水槽１２内に設置し、それら複数の中空濾過部材の外側から中心部へ向かって汚水原液２６を通過させるようになして、その中心部に濾過された液を処理水タンク１６へ送る吸引パイプ１７を挿入するとともに、その吸引パイプ１７のポンプ１３を逆回転させて処理水タンク１６内の濾過液２７を中空濾過部材の中心部から外側へ向って逆流させることにより各中空濾過部材の周壁５を逆洗可能となして、その逆洗した液を除去するための排水パイプ２３の分岐管２４、２５を各中空濾過部材の周壁５の間に挿入したことを特徴とする汚水、廃水等の固液分離用濾過装置によって達成することができる。
【０００６】
【実施例】
以下、図面に基づき本発明の実施例について説明する。まず、図１は中カゴ１を示したものである。この中カゴ１は輪状の横桟２と直線状の縦桟３とによって形成されている。すなわち、複数の横桟２を一定間隔で配置すると共に、それら横桟２の周方向の複数箇所にそれぞれ縦桟３を横桟２に対し垂直に配置して、それら横桟２と縦桟３の交点を一体的に接合した構造となっている。なお、横桟２及び縦桟３の材質は、プラスチックや金属など自由であるが、ある程度の剛性を有するものが好ましい。
【０００７】
次に、図２は中空濾過部材６を示したものである。この中空濾過部材６は上記の中カゴ１の外周部に線条４を巻き付けて適宜な隙間を有する周壁５を形成した構造になっている。すなわち、中カゴ１の縦桟３の外周部に横桟２と同一方向に線条４を巻き付けている。この線条４の材質はポリプロピレン等のプラスチックを使用している。また、線条４は線径が０．００３〜０．５ｍｍのものが好ましい。また、線条４の表面は平滑でもよいが粗面とすることも可能である。
【０００８】
次に、図３は上記の中空濾過部材６を使用した装置全体の構造を示したものである。この装置では上記の中空濾過部材６の他に、内径がより大きい２つの中空濾過部材７，８を使用している。すなわち内径が大中小の３種類の中空濾過部材８，７，６を、図４に示すように、同心円状に３重に配置して使用している。この中及び大の中空濾過部材７，８は内径が異なるだけで基本的な構造は小の中空濾過部材６と同一である。なお、大中小の中空濾過部材８，７，６は使用する線条の材質や線径を同一にしてもよいが、それぞれ異ならせることも可能である。また、線条の巻き数も同一にしたり、異ならせることもできる。例えば、大中小の中空濾過部材８，７，６のそれぞれの線条の太さを大中小として差をつけることも可能であり、又、それぞれの巻き数を相違させて線条密度や空隙率に差をつけることも可能である。
【０００９】
３重に配置された中空濾過部材６，７，８はその上下両端の開口部を上蓋９及び下蓋１０で閉じ、その周囲に網状の保護カバー１１を取付けた状態で汚水槽１２の内部に設置されている。そして、ポンプ１３とバルブ１４，１５を取付けて一端を処理水タンク１６に挿入した吸引パイプ１７に上蓋９を貫通する３本の分岐管１８，１９，２０を設けて、これらを小の中空濾過部材６の内側、小と中の中空濾過部材６，７の間、及び中と大の中空濾過部材７，８の間にそれぞれ挿入している。また、バルブ２１，２２を取付けた排水パイプ２３に下蓋１０を貫通する２本の分岐管２４，２５を設けて、これらを小と中の中空濾過部材６，７の間、及び中と大の中空濾過部材７，８の間にそれぞれ挿入している。なお、この装置では中空濾過部材６，７，８を３重にしているが、数を増やしてもっと多重にすることも可能である。
【００１０】
汚水槽１２の汚水原液２６は、大の中空濾過部材８を通過し、次に中の中空濾過部材７を通過し、更に小の中空濾過部材６を通過することにより３段階で濾過されてから吸引パイプ１７によって処理水タンク１６へ送られる。なお、バルブ１４を開けば大と中の中空濾過部材８，７によって濾過された液を、又、バルブ１５を開けば大の中空濾過部材８だけによって処理された液をそれぞれ取り出すことができ、目的に応じて切り換えることができる。
【００１１】
中空濾過部材６，７，８が目詰まりした場合は、吸引パイプ１７のポンプ１３を逆回転させて処理水タンク１６内の濾過液２７を吸引して吸引パイプ内を逆流させ、分岐管１８，１９，２０から噴出させることにより中空濾過部材６，７，８を内側から逆に洗浄して目詰りを解消させることができる。その逆洗した液は排水パイプ２３によって除くことができる。なお、この逆洗は適宜なタイムを設定して自動的に制御することもできる。
【００１２】
【発明の効果】
本発明の汚水、廃水等の固液分離用濾過装置は上記の通りであり、まず、中カゴ１の外周部に線条４を巻き付けるという筒単な工程で容易に中空濾過部材６を製造できるという利点がある。また、線条６の巻き数を変えることにより周壁５の空隙率を容易に変更できるという利点がある、さらに、一部が破損したような場合に、線条６を巻き直すだけで簡単に修理できる利点もある。
また、線条４の巻き方向が揃っていて隙間の向きも同一なので、目詰まりが生じたときに濾過液２７を逆流させてスラッジを取り除くという逆洗再使用が容易であり、濾過性能を良好に維持することができる。
【図面の簡単な説明】
【図１】中カゴの斜視図である。
【図２】中空濾過部材の斜視図である。
【図３】装置全体の断面図である。
【図４】大中小の中空濾過部材を同心円状に配置した状態の平面図である。
【符号の説明】
１  中カゴ
２  横桟
３  縦桟
４  線条
５  周壁
６，７，８  中空濾過部材
９  上蓋
１０  下蓋
１１  保護カバー
１２  汚水槽
１３  ポンプ
１４，１５，２１，２２  バルブ
１６  処理水タンク
１７  吸引パイプ
１８，１９，２０２４，２５  分岐管
２３  排水パイプ
２６  汚水原液
２７  濾過液
【図１】
0003686918.tif 000002
【図２】
0003686918.tif 000003
【図３】
0003686918.tif 000004
【図４】
0003686918.tif 000005